(57)【特許請求の範囲】
【請求項１】
冷却用のファンを備えた電子機器であって、
前記ファンが停止状態のときの前記電子機器周囲の周囲騒音のレベルを、環境騒音のレベルとして算出する環境騒音レベル算出手段と、
前記ファンが停止状態から回転状態に変化したときに許容する、周囲騒音のレベルの増加量が記録された許容増加量記憶部と、
前記環境騒音レベル算出手段で算出した環境騒音のレベルに対する騒音レベルの増加量を、前記許容増加量記憶部に記録されている増加量と一致させる前記ファンの回転数を算出するファン回転数算出手段とを備えたことを特徴とする電子機器。
【請求項２】
請求項１記載の電子機器において、
前記電子機器の周囲の騒音を電気信号に変換するマイクロフォンを備え、且つ、
前記環境騒音レベル算出手段は、前記ファンを停止させたときに前記マイクロフォンから出力される電気信号、または、前記ファンの回転数を予め定められている最小回転数にしたときに前記マイクロフォンから出力される電気信号に基づいて環境騒音のレベルを算出することを特徴とする電子機器。
【請求項３】
請求項１記載の電子機器において、
前記電子機器の設置予定位置において、過去一定期間に測定した騒音レベルが記録された環境騒音レベル記録部を備え、且つ、
前記環境騒音レベル算出手段は、現在時刻と前記環境騒音レベル記録部の記録内容とに基づいて環境騒音のレベルを算出することを特徴とする電子機器。
【請求項４】
請求項１乃至３の何れか１項に記載の電子機器において、
人間を検出する人感センサを備え、且つ、
前記ファン回転数算出手段は、前記人感センサで人間を検出していないときは、前記ファンの回転数として、予め定められている最大回転数を算出することを特徴とする電子機器。
【請求項５】
請求項１乃至３の何れか１項に記載の電子機器において、
光を検出する光センサを備え、且つ、
前記ファン回転数算出手段は、前記光センサで光を検出していないときは、前記ファンの回転数として、予め定められている最大回転数を算出することを特徴とする電子機器。
【請求項６】
請求項１乃至５の何れか１項に記載の電子機器において、
ユーザが入力した増加量を、前記許容増加量記憶部に記録する許容増加量設定手段を備えたことを特徴とする電子機器。
【請求項７】
冷却用のファンと、前記ファンが停止状態から回転状態に変化したときに許容する、周囲騒音のレベルの増加量が記録された許容増加量記憶部と、環境騒音レベル算出手段と、ファン回転数算出手段とを備えた電子機器を構成するコンピュータが実行するファン制御方法であって、
前記環境騒音レベル算出手段が、前記ファンが停止状態のときの前記電子機器周囲の周囲騒音のレベルを、環境騒音のレベルとして算出し、
前記ファン回転数算出手段が、前記環境騒音レベル算出手段で算出した環境騒音のレベルに対する騒音レベルの増加量を、前記許容増加量記憶部に記録されている増加量と一致させる前記ファンの回転数を算出することを特徴とするファン制御方法。
【請求項８】
冷却用のファンと、前記ファンが停止状態から回転状態に変化したときに許容する、周囲騒音のレベルの増加量が記録された許容増加量記憶部とを備えた電子機器を構成するコンピュータを、
前記ファンが停止状態のときの前記電子機器周囲の周囲騒音のレベルを、環境騒音のレベルとして算出する環境騒音レベル算出手段、
前記環境騒音レベル算出手段で算出した環境騒音のレベルに対する騒音レベルの増加量を、前記許容増加量記憶部に記録されている増加量と一致させる前記ファンの回転数を算出するファン回転数算出手段として機能させるためのプログラム。
【発明の詳細な説明】
【技術分野】
【０００１】
本発明は、冷却用のファンを備えたサーバ装置やパーソナルコンピュータ等の電子機器に関する。
【背景技術】
【０００２】
サーバ装置やパーソナルコンピュータなどの電子機器の中には、搭載している電子部品の発熱によって電子機器内部の温度が動作保証温度以上とならないようにするため、冷却用のファンを備えているものがある。このようなファンを備えた電子機器においては、温度センサにより機器内部の温度を検出し、検出した温度に基づいてファンの回転数を制御するということが一般的に行われている。
【０００３】
ところで、昨今、多くのユーザから電子機器の静音性が求められるようになってきており、このようなニーズに応えるために、電子機器内部の温度を動作保証温度以下に保つことができる範囲内で、ファンの回転数をできる限り落とすということが一般的に行われている。しかし、電子機器に搭載されている電子部品の中には、できる限り冷やした方が性能がアップするものや、動作保証温度上限に近い温度だと性能が落ちるものがあるため、ファンの回転数を落とすと、電子機器の性能が低下してしまう。
【０００４】
このような問題点を解決するための技術として、次のような技術が知られている（例えば、特許文献１参照）。
【０００５】
この特許文献１に記載されている電子機器は、電子機器周囲の騒音を電気信号に変換するマイクロフォンと、複数の騒音レベル（設定騒音レベル）のそれぞれに対応付けてファンの回転数が記録された騒音回転数対応記憶部と、ファンの回転数を制御する制御部とを備えている。なお、騒音回転数対応記憶部に記録されている回転数は、大きな設定騒音レベルに対応するものほど、大きな値になっている。
【０００６】
ファンの回転数を制御する制御部は、先ず、マイクロフォンから出力される信号に基づいて電子機器周囲の騒音レベルを求める。その後、求めた騒音レベルと、騒音回転数対応記憶部に記録されている設定騒音レベルとを比較し、比較結果に基づいて、ファンの回転数を決定する。より具体的には、電子機器の周囲の騒音レベルの方が、現在のファン回転数に対応する設定騒音レベルより小さい場合は、ファンの回転数を現在の回転数よりも１ランク下の回転数にすると決定する。また、電子機器の周囲の騒音レベルが、現在のファンの回転数に対応する設定騒音レベル以上で且つ上記設定騒音レベルより１ランク上の設定騒音レベル未満である場合は、現在の回転数を維持すると決定する。また、電子機器の周囲の騒音レベルが、現在の回転数に対応した設定騒音レベルよりも１ランク上の設定騒音レベル以上である場合は、ファンの回転数を現在よりも１ランク上の回転数にすると決定する。
【０００７】
そして、制御部は、上述したようにして決定した回転数でファンを回転させる。
【先行技術文献】
【特許文献】
【０００８】
【特許文献１】特開２００２−１９６８４１号公報
【発明の概要】
【発明が解決しようとする課題】
【０００９】
上述した特許文献１に記載されている技術によれば、電子機器の周囲の騒音レベルが小さく、ファンの騒音が気になる環境では、ファンの回転数を低くしてファンによる騒音を小さくすることができ、電子機器周囲の騒音レベルが大きく、ファンの騒音があまり気にならない環境では、ファンの回転数を高くし、冷却効果を高いものにすることができる。
【００１０】
しかしながら、特許文献１に記載されている技術では、ファンを停止状態から回転状態に変化させた際の騒音レベルの増加量を、電子機器周囲の騒音レベルにかかわらず、所定レベルにすることができないという課題がある。
【００１１】
[発明の目的]
そこで、本発明の目的は、ファンを停止状態から回転状態に変化させた際の騒音レベルの増加量を、電子機器周囲の騒音レベルにかかわらず、所定レベルにすることができないという課題を解決した電子機器を提供することにある。
【課題を解決するための手段】
【００１２】
本発明にかかる電子機器は、
冷却用のファンを備えた電子機器であって、
前記ファンが停止状態のときの前記電子機器周囲の周囲騒音のレベルを、環境騒音のレベルとして算出する環境騒音レベル算出手段と、
前記ファンが停止状態から回転状態に変化したときに許容する、周囲騒音のレベルの増加量が記録された許容増加量記憶部と、
前記環境騒音レベル算出手段で算出した環境騒音のレベルに対する騒音レベルの増加量を、前記許容増加量記憶部に記録されている増加量と一致させる前記ファンの回転数を算出するファン回転数算出手段とを備える。
【００１３】
本発明にかかるファン制御方法は、
冷却用のファンと、前記ファンが停止状態から回転状態に変化したときに許容する、周囲騒音のレベルの増加量が記録された許容増加量記憶部と、環境騒音レベル算出手段と、ファン回転数算出手段とを備えたコンピュータが実行するファン制御方法であって、
前記環境騒音レベル算出手段が、前記ファンが停止状態のときの前記電子機器周囲の周囲騒音のレベルを、環境騒音のレベルとして算出し、
前記ファン回転数算出手段が、前記環境騒音レベル算出手段で算出した環境騒音のレベルに対する騒音レベルの増加量を、前記許容増加量記憶部に記録されている増加量と一致させる前記ファンの回転数を算出する。
【００１４】
本発明にかかるプログラムは、
冷却用のファンと、前記ファンが停止状態から回転状態に変化したときに許容する、周囲騒音のレベルの増加量が記録された許容増加量記憶部とを備えたコンピュータを、
前記ファンが停止状態のときの前記電子機器周囲の周囲騒音のレベルを、環境騒音のレベルとして算出する環境騒音レベル算出手段、
前記環境騒音レベル算出手段で算出した環境騒音のレベルに対する騒音レベルの増加量を、前記許容増加量記憶部に記録されている増加量と一致させる前記ファンの回転数を算出するファン回転数算出手段として機能させる。
【発明の効果】
【００１５】
本発明によれば、ファンを停止状態から回転状態に変化させた際の騒音レベルの増加量を、電子機器周囲の騒音レベルにかかわらず、所定レベルにすることができるという効果を得ることができる。
【図面の簡単な説明】
【００１６】
【図１】本発明の第１の実施の形態にかかる電子機器１の構成例を示すブロック図である。
【図２】マイクロフォン２１〜２４の設置例を示す図である。
【図３】回転数騒音レベル対応記憶部１１の内容例を示す図である。
【図４】回転数騒音レベル対応記憶部１１の内容をグラフ化した図である。
【図５】制御手段１８の処理例を示すフローチャートである。
【図６】本発明の第２の実施の形態にかかる電子機器１ａの構成例を示すブロック図である。
【図７】周囲騒音レベルの測定方法を説明するための図である。
【図８】環境騒音レベル記憶部１９の内容例を示す図である。
【図９】環境騒音レベル記憶部１９の内容をグラフ化した図である。
【図１０】制御手段１８ａの処理例を示すフローチャートである。
【図１１】環境騒音レベル記憶部１９の別の内容を説明するための図である。
【図１２】本発明の第３の実施の形態にかかる電子機器１ｂの構成例を示すブロック図である。
【図１３】マイクロフォン２１〜２４、人感センサ３１，３２、および、光センサ４１，４２の設置例を示す図である。
【図１４】制御手段１８ｂの処理例を示すフローチャートである。
【図１５】本発明の第４の実施の形態にかかる電子機器１ｃの構成例を示すブロック図である。
【図１６】制御手段１８ｃの処理例を示すフローチャートである。
【発明を実施するための形態】
【００１７】
次に、本発明の実施の形態について図面を参照して詳細に説明する。
【００１８】
[本発明の第１の実施の形態]
図１を参照すると、本発明の第１の実施の形態にかかる電子機器１は、回転数騒音レベル対応記憶部１１と、ファン騒音レベル算出手段１２と、環境騒音レベル算出手段１３と、温度センサ１４と、許容増加量設定手段１５と、許容増加量記憶部１６と、冷却用のファン１７と、制御手段１８と、マイクロフォン２１〜２４とを備えている。
【００１９】
マイクロフォン２１〜２４は、それぞれ図２に示すように、電子機器１の前面、右側面、裏面、左側面から所定距離（本実施の形態では１ｍとする）だけ離れた位置に設置され、電子機器１の周囲の騒音を電気信号に変換する。
【００２０】
回転数騒音レベル対応記憶部１１は、ディスク装置などの記憶装置上に設けられ、予め測定しておいたファン１７の回転数と騒音レベルとが関連付けて記録される。図３は、回転数騒音レベル対応記憶部１１の内容例を示した図であり、同図の例えば第１行目は、ファン１７の回転数を2000rpmとしたときに発生した騒音のレベルが３０dBであることを示している。図４は、図３に示した回転数騒音レベル対応記憶部１１の内容をグラフ化したものであり、縦軸が騒音レベルを、横軸がファンの回転数を示している。なお、騒音レベルは、次式（１）によって表されるものである。式（１）において、ｐは測定された音圧の実効値、ｐ0は基準となる音圧の実効値である。
【００２１】
騒音レベル＝10 log10（p2／p02）
＝20 log10（p／p0）    ・・・  （１）
【００２２】
ファン騒音レベル算出手段１２は、回転数騒音レベル対応記憶部１１を参照し、ファン１７が回転することにより発生している騒音（ファン騒音）のレベルを算出する機能を有する。
【００２３】
環境騒音レベル算出手段１３は、マイクロフォン２１〜２４から入力される電気信号に基づいて、ファン騒音が無いときの、電子機器１の周囲の騒音（周囲騒音）のレベルを算出する機能を有する。なお、ファン騒音が無いときの、電子機器１周囲の周囲騒音を環境騒音と呼び、そのレベルを環境騒音レベルと呼ぶ。
【００２４】
温度センサ１４は、電子機器１の内部温度を検出する機能を有する。
【００２５】
許容増加量設定手段１５は、ユーザが行う設定操作に従って、許容増加量（dB）を許容増加量記憶部１６に記録する機能を有する。ここで、許容増加量とは、ファン１７が停止状態から回転状態に変化した際に許容する、周囲騒音のレベルの増加量である。
【００２６】
制御手段１８は、ファン騒音レベル算出手段１２の算出結果、環境騒音レベル算出手段１３の算出結果、温度センサ１４の検出結果、および、許容増加量記憶部１６に記録されている許容増加量に基づいて、ファン１７の回転数を決定する機能や、決定した回転数でファン１７を回転させる機能を有する。
【００２７】
なお、電子機器１内のファン騒音レベル算出手段１２、環境騒音レベル算出手段１３、許容増加量設定手段１５、及び、制御手段１８は、ＣＰＵ（中央処理装置）によって実現可能であり、その場合には例えば次のようにする。ＣＰＵを上記各手段１２，１３，１５，１８として機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に上記各手段１２，１３，１５，１８を実現する。
【００２８】
[第１の実施の形態の動作]
次に、本実施の形態の動作について図面を参照して詳細に説明する。
【００２９】
電子機器１が起動されると、制御手段１８は、先ず、通常のファン制御を行う（図５のステップＳ５１）。通常のファン制御とは、温度センサ１４によって検出された電子機器１内部の温度に応じた回転数でファン１７を回転させるというものである。
【００３０】
次に、制御手段１８は、ファン騒音レベル算出手段１２に対して、ファン騒音レベルＡを算出することを指示する（ステップＳ５２）。その際、制御手段１８は、現在のファン１７の回転数をファン騒音レベル算出手段１２に渡す。なお、ファン騒音レベルＡとは、ファン１７が回転することにより発生したファン騒音のレベルである。
【００３１】
ファン騒音レベル算出手段１２は、上記指示を受けると、制御手段１８から渡されたファン回転数と回転数騒音レベル対応記憶部１１の内容とに基づいて、ファン騒音レベルを算出し、算出したファン騒音レベルを制御手段１８に渡す。より具体的には、補間法や、制御手段１８から渡されたファン回転数と最も近いファン回転数と対応付けて記録されている騒音レベルをファン騒音レベルとする方法などにより、ファン騒音レベルを算出する。
【００３２】
次いで、制御手段１８は、ファン騒音の影響をできる限り抑えるためにファン１７の回転数を予め定められている最小回転数まで落とすか、或いはファン１７を停止させた後、環境騒音レベル算出手段１３に対して、環境騒音レベルＢminを算出することを指示する（ステップＳ５３）。
【００３３】
環境騒音レベル算出手段１３は、上記指示を受けると、マイクロフォン２１〜２４から出力されている電気信号に基づいて、マイクロフォン２１〜２４の設置場所における環境騒音レベルＢ1〜Ｂ4を算出する。この環境騒音レベルＢ1〜Ｂ4の算出処理は、例えば、１分間隔で、５回行う。その後、マイクロフォン２１〜２４の設置場所毎に、環境騒音レベルの平均値Ｂav1〜Ｂav4を算出し、その中の最小値を電子機器１の設置場所の環境騒音レベルＢminとして制御手段１８に渡す。
【００３４】
その後、制御手段１８は、許容増加量記憶部１６から許容増加量Ｘを入力する（ステップＳ５４）。許容増加量Ｘは、ファン１７が停止状態から回転状態に変化した際に許容する、周囲騒音レベルの増加量であり、ユーザが許容増加量設定手段１５を利用して自由に設定できるようになっている。
【００３５】
次に、制御手段１８は、次式（２）が満たされるか否かを判定する（ステップＳ５５）。なお、式（２）において、ＡはステップＳ５２で算出したファン騒音レベル、ＢminはステップＳ５３で算出した環境騒音レベル、ＸはステップＳ５４で入力した許容増加量（dB）である。
【００３６】
Ａ≦Ｂmin−７＋Ｘ    ・・・  （２）
【００３７】
ここで、式（２）の意味を説明する。前述したように、許容増加量Ｘは、ファン１７が停止状態から回転状態に変化した際に許容する、周囲騒音レベルの増加量であるので、ファン騒音レベルＡと環境騒音レベルＢminとを足し合わせた際の増加量が許容増加量Ｘ（dB）以下ならば問題がないといえる。また、ファン騒音レベルＡと環境騒音レベルＢminとを足し合わせた際の周囲騒音レベルの増加量を許容増加量Ｘ以下とするためには、ファン騒音レベルＡと環境騒音レベルＢminとに（Ｘ−７）dB以上の差がなければならない。つまり、式（２）では、ファン１７を停止状態から回転状態に変化させた際の周囲騒音レベルの増加量を許容増加量Ｘ以下にできるか否かを判断している。
【００３８】
そして、周囲騒音レベルの増加量を許容増加量Ｘ以下にできると判断した場合（ステップＳ５５がＹｅｓ）は、ファン騒音レベルＡを「Ｂmin−７＋Ｘ」まで増加させても問題ないため、制御手段１８は、回転数騒音レベル対応記憶部１１を参照して、ファン騒音レベルＡを「Ｂmin−７＋Ｘ」とするファン回転数を算出し（ステップＳ５６）、算出した回転数でファン１７を回転させる（ステップＳ５７）。
【００３９】
そして、電子機器１にエラーが発生することなく（ステップＳ５９がＮｏ）、所定時間が経過した場合（ステップＳ５８がＹｅｓ）は、ステップＳ５２の処理に戻る。
【００４０】
これに対して、電子機器１にエラーが発生した場合（ステップＳ５９がＹｅｓ）は、温度センサ１４の検出結果に基づいてファン１７の回転数を制御する通常のファン制御を所定時間実行し（ステップＳ６０、Ｓ６１がＹｅｓ）、その後、ステップＳ５２の処理に戻る。
【００４１】
また、制御手段１８は、ステップＳ５５で周囲騒音レベルの増加量を許容増加量Ｘ以下にすることができないと判定した場合（ステップＳ５５がＮｏ）は、通常のファン制御を実行する（ステップＳ６０）。
【００４２】
次に、ユーザが許容増加量記憶部１６に記録されている許容増加量を変更する場合の動作について説明する。ユーザは、ファン１７の騒音がうるさいと感じる場合や、機器内部の温度を低くして電子機器１の性能を高めたい場合には、許容増加量記憶部１６に記録されている許容増加量を変更し、ファン１７の回転数を変更することができる。
【００４３】
許容増加量を変更する場合、ユーザは、許容増加量設定手段１５を起動する。これにより、許容増加量設定手段１５は、許容増加量記憶部１６に記録されている許容増加量を読み出し、表示部（図示せず）に表示する。ユーザが、ファン１７の回転数を低下させてファン騒音を小さくしたい場合には、表示部に表示されている許容増加量よりも小さな値の許容増加量を入力部（図示せず）から入力する。また、反対にファン１７の回転数を高めて、電子機器１の性能を高めたい場合は、表示部に表示されている許容増加量よりも大きな値の許容増加量を入力部から入力する。許容増加量設定手段１５は、入力部から許容増加量が入力されると、許容増加量記憶部１６に記録されている許容増加量を、入力部から入力された許容増加量で置き換える。
【００４４】
[第１の実施の形態の効果]
本実施の形態によれば、ファンを停止状態から回転状態に変化させた際の騒音レベルの増加量を、電子機器周囲の騒音レベルにかかわらず、所定レベルにすることができるという効果を得ることができる。その理由は、環境騒音レベル算出手段１３で算出した環境騒音のレベルに対する騒音レベルの増加量を、許容増加量記憶部１６に記録されている増加量と一致させるファン１７の回転数を算出する制御手段（ファン回転数算出手段）１８とを備えているからである。
【００４５】
更に、本実施の形態によれば、ユーザがファン騒音がうるさくないと感じる範囲内で、ファン１７の回転数を最も高くすることが可能になるという効果を得ることができる。その理由は、ユーザの指示に従って、許容増加量記憶部１６に記録されている許容増加量を書き替える許容増加量設定手段１５を備えているからである。
【００４６】
[本発明の第２の実施の形態]
次に、本発明にかかる電子機器の第２の実施の形態について説明する。本実施の形態は、電子機器の設置予定位置において、過去一定期間に測定した騒音レベルを記録した環境騒音レベル記憶部を備えることにより、マイクロフォンを不要にしたことを特徴とする。
【００４７】
図６を参照すると、本実施の形態の電子機器１ａは、回転数騒音レベル対応記憶部１１と、ファン騒音レベル算出手段１２と、環境騒音レベル算出手段１３ａと、温度センサ１４と、許容増加量設定手段１５と、許容増加量記憶部１６と、ファン１７と、制御手段１８ａと、環境騒音レベル記憶部１９と、時計２０とを備えている。図１に示した第１の実施の形態にかかる電子機器１との相違点は、環境騒音レベル算出手段１３の代わりに環境騒音レベル算出手段１３ａを備えている点、制御手段１８の代わりに制御手段１８ａを備えている点、環境騒音レベル記憶部１９が追加されている点、及び、時計２０が追加されている点である。
【００４８】
環境騒音レベル記憶部１９には、図８に示すように、各時刻「０時、１時、…、２４時」に関連付けて、平日と休日の騒音レベルが記録されている。環境騒音レベル記憶部１９に記録されている騒音レベルは、電子機器１ａを設置する前に、その設置場所で実際に測定した騒音レベルである。より具体的には、図７に示すように、電子機器１ａの設置予定場所７５から１ｍ離れた４点にマイクロフォン７１〜７４を配置し、測定タイミングとなる毎(本実施の形態では、０時００分から１時間毎)に、マイクロフォン７１〜７４から出力される電気信号に基づいて騒音レベルを測定する。そして、所定の期間（例えば、２〜４週間）に亘って騒音レベルを測定し、平日における測定タイミング毎の最小値と、休日における測定タイミング毎の最小値とを求める。このようにして求めらた最小値を環境騒音レベル記憶部１９に記録する。図９は、環境騒音レベル記憶部１９の内容をグラフ化したものである。
【００４９】
時計２０は、現在時刻を表示する。
【００５０】
環境騒音レベル算出手段１３ａは、時計２０が表示している現在時刻と、環境騒音レベル記憶部１９の内容とに基づいて、環境騒音レベルを算出する。前述したように、環境騒音レベルとは、ファン騒音が無いときの、電子機器１ａ周囲の騒音のレベルである。
【００５１】
なお、電子機器１ａ内のファン騒音レベル算出手段１２、環境騒音レベル算出手段１３ａ、許容増加量設定手段１５、制御手段１８ａは、第１の実施の形態の電子機器１と同様に、ＣＰＵによって実現することができる。
【００５２】
[第２の実施の形態の動作]
次に、本実施の形態の動作について、図１０のフローチャートを参照して説明する。なお、第１の実施の形態の動作を示す図５のフローチャートとの相違点は、ステップＳ５３ａ、Ｓ５５ａ、Ｓ５６ａだけであるので、以下では、これらのステップについて説明する。
【００５３】
ステップＳ５３においては、制御手段１８ａは、環境騒音レベル算出手段１３ａに対して環境騒音レベルＣを算出することを指示する。
【００５４】
この指示に応答して、環境騒音レベル算出手段１３ａは、時計２０が表示している現在時刻と、環境騒音レベル記憶部１９の内容とに基づいて、環境騒音レベルＣを算出し、算出した騒音環境レベルＣを制御手段１８ａに渡す。より具体的には、補間法や、現在時刻と最も近い時刻に対応付けて登録されている平日、休日の騒音レベルの内の一方（本日が平日なら平日の騒音レベル、本日が休日なら休日の騒音レベル）を環境騒音レベルＣとする方法などにより、環境騒音レベルを算出する。
【００５５】
ステップＳ５５ａでは、次式（３）が満たされるか否かを判定する。なお、式（３）において、ＡはステップＳ５２で算出したファン騒音レベル、ＣはステップＳ５３ａで算出した環境騒音レベル、ＸはステップＳ５４で入力した許容増加量である。
【００５６】
Ａ≦Ｃ−７＋Ｘ
【００５７】
ステップＳ５６ａでは、回転数騒音レベル対応記憶部１１を参照して、ファン騒音レベルＡを「Ｃ−７＋Ｘ」とするファン回転数を算出する。
【００５８】
以上が第１の実施の形態との相違点である。
【００５９】
なお、前述した説明では、環境騒音レベル記憶部１９には、実際に測定した騒音レベルを記録するようにしたが、次のようにしても良い。時間帯によって確実に人がいなくなる場合は、ファン騒音を気にする必要がなくなる。そこで、環境騒音レベル記憶部１９に記録されている騒音レベルの内、深夜などのように人がいなくなる時間帯の騒音レベルを実際に測定した騒音レベルではなく、非常に高い騒音レベルに変更するようにしてもよい。図１１は、変更後の環境騒音レベル記憶部１９の内容をグラフ化したものである。このような変更を加えることにより、人がいなくなる時間帯においてファン回転数を高くし、冷却性能を高めることができる。
【００６０】
[第２の実施の形態の効果]
本実施の形態によれば、第１の実施の形態で得られる効果に加え、マイクロフォンが不要になるという効果を得ることができる。その理由は、電子機器１ａの設置予定位置において、過去一定期間に測定した騒音レベルが記録された環境騒音レベル記憶部１９を備え、環境騒音レベル算出手段１３ａが現在時刻と環境騒音レベル記憶部１９の内容との基づいて環境騒音レベルを算出するようにしているからである。
【００６１】
[本発明の第３の実施の形態]
次に、本発明にかかる電子機器の第３の実施の形態について説明する。本実施の形態は、人感センサや、光センサなどの検出結果に基づいて、電子機器の設置環境（例えば、室内）に人がいないと判定した場合は、ファン回転数を高めることを特徴とする。
【００６２】
図１２を参照すると、本実施の形態の電子機器１ｂは、人感センサ３１，３２を備えている点、光センサ４１、４２を備えている点、制御手段１８の代わりに制御手段１８ｂを備えている点が、図１に示した第１の実施の形態の電子機器１と相違している。
【００６３】
電子機器１ｂは、図１３に示すように室内５に設置される。また、人感センサ３１，３２は、人がいる確率が高いエリアや、人通りの多いエリアに設置され、光センサ４１、４２は、照明灯などの光源の近傍に設置される。なお、人感センサや光センサの数はこれに限られるものではない。
【００６４】
なお、本実施の形態のファン騒音レベル算出手段１２、環境騒音レベル算出手段１３、許容増加量設定手段１５、制御手段１８ｂは、第１の実施の形態と同様に、ＣＰＵによって実現できる。
【００６５】
[第３の実施の形態の動作]
次に、本実施の形態の動作を、図１４のフローチャートを参照して説明する。
【００６６】
電子機器１ｂが起動されると、制御手段１８ｂは、先ず、温度センサ１４の検出結果に応じた回転数でファン１７を回転させる（ステップＳ１４１）。
【００６７】
その後、制御手段１８ｂは、人感センサ３１、３２の内の少なくとも１つで人が検出されているか否かを判定する（ステップＳ１４２）。そして、全ての人感センサ３１、３２で人が検出されていない場合（ステップＳ１４２がＮｏ）は、室内５に人がいないと判断し、ファン１７を予め定められている最大回転数で回転させる（ステップＳ１４４）。これに対して、少なくとも１個の人感センサが人を検出している場合（ステップＳ１４２がＹｅｓ）は、光センサ４１，４２の内の少なくとも１つで光が検出されているか否かを判定する（ステップＳ１４３）。
【００６８】
そして、全ての光センサ４１，４２で光が検出されていない場合（ステップＳ１４３がＮｏ）は、室内５に人がいないと判断し、ファン１７を最大回転数で回転させる（ステップＳ１４４）。これに対して、少なくとも１個の光センサが光を検出している場合（ステップＳ１４３がＹｅｓ）は、前述した図５のステップＳ５２〜Ｓ６１の処理を行う。なお、図５のステップＳ５８の判断結果がＹｅｓとなった場合、および、ステップＳ６１の判断結果がＹｅｓとなった場合は、ステップＳ１４２の処理を行う。
【００６９】
なお、上述した説明では、全ての人感センサ３１、３２で人を検出できない場合は、室内５に人がいないと判断するようにしたが、全ての人感センサ３１、３２で一定時間連続して人を検知できない場合に、室内５１に人がいないと判断するようにしても良い。また、上述した説明では、全ての光センサ４１、４２で光を検出できない場合は、室内５に人がいないと判断するようにしたが、全ての光センサ４１、４２で一定時間連続して光を検出できなかった場合、室内５に人がいないと判断するようにしてもよい。また、上述した説明では、人感センサと光センサの２種類のセンサを使用するようにしたが、どちらか一方のセンサだけを使用するようにしてもよい。
【００７０】
[第３の実施の形態の効果]
本実施の形態によれば、第１の実施の形態で得られる効果に加えて、電子機器１ｃの設置環境に人がいない場合、直ちに、ファン１７の回転数を高め、高い冷却性能を得ることができるという効果を得ることができる。その理由は、人感センサ３１，３２や光センサ４１，４２の検出結果に基づいて、電子機器の設置環境に人がいないと判断した場合、ファンの回転数を最大回転数にしているからである。
【００７１】
[本発明の第４の実施の形態]
次に、本発明にかかる電子機器の第４の実施の形態について説明する。本実施の形態は、人感センサや、光センサなどの検出結果に基づいて、電子機器の設置環境（例えば、室内）に人がいないと判定した場合は、ファン回転数を高めることを特徴とする。
【００７２】
図１５を参照すると、本実施の形態の電子機器１ｃは、人感センサ３１，３２を備えている点、光センサ４１、４２を備えている点、制御手段１８の代わりに制御手段１８ｂを備えている点が、図６に示した第２の実施の形態の電子機器１ａと相違している。
【００７３】
電子機器１ｃ、人感センサ３１，３２、及び、光センサ４１、４２は、前述した第３の実施の形態と同様に室内５に配置される。
【００７４】
なお、本実施の形態のファン騒音レベル算出手段１２、環境騒音レベル算出手段１３ｃ、許容増加量設定手段１５、制御手段１８ｃは、第２の実施の形態と同様に、ＣＰＵによって実現できる。
【００７５】
[第４の実施の形態の動作]
次に、本実施の形態の動作を、図１６のフローチャートを参照して説明する。
【００７６】
電子機器１ｃが起動されると、制御手段１８ｃは、先ず、温度センサ１４の検出結果に応じた回転数でファン１７を回転させる（ステップＳ１６１）。
【００７７】
その後、制御手段１８ｃは、人感センサ３１、３２の内の少なくとも１つで人が検出されているか否かを判定する（ステップＳ１６２）。そして、全ての人感センサ３１、３２で人が検出されていない場合（ステップＳ１６２がＮｏ）は、室内５に人がいないと判断し、ファン１７を予め定められている最大回転数で回転させる（ステップＳ１６４）。これに対して、少なくとも１個の人感センサが人を検出している場合（ステップＳ１６２がＹｅｓ）は、光センサ４１，４２の内の少なくとも１つで光が検出されているか否かを判定する（ステップＳ１６３）。
【００７８】
そして、全ての光センサ４１，４２で光が検出されていない場合（ステップＳ１６３がＮｏ）は、室内５に人がいないと判断し、ファン１７を最大回転数で回転させる（ステップＳ１６４）。これに対して、少なくとも１個の光センサが光を検出している場合（ステップＳ１６３がＹｅｓ）は、前述した図１０のステップＳ５２〜Ｓ６１の処理を行う。なお、図１０のステップＳ５８の判断結果がＹｅｓとなった場合、および、ステップＳ６１の判断結果がＹｅｓとなった場合は、ステップＳ１６２の処理を行う。
【００７９】
[第４の実施の形態の効果]
本実施の形態によれば、第２の実施の形態で得られる効果に加えて、電子機器１ｃの設置環境に人がいない場合、直ちに、ファン１７の回転数を高め、高い冷却性能を得ることができるという効果を得ることができる。その理由は、人感センサ３１，３２や光センサ４１，４２の検出結果に基づいて、電子機器の設置環境に人がいないと判断した場合、ファンの回転数を最大回転数にしているからである。
【符号の説明】
【００８０】
１，１ａ，１ｂ，１ｃ      電子機器
１１    回転数騒音レベル対応記憶部
１２    ファン騒音レベル算出手段
１３，１３ａ    環境騒音レベル算出手段
１４    温度センサ
１５    許容増加量設定手段
１６    許容増加量記憶部
１７    ファン
１８，１８ａ，１８ｂ，１８ｃ    制御手段
１９    環境騒音レベル記憶部
２０    時計
２１〜２４  マイクロフォン
３１，３２  人感センサ
４１，４２  光センサ
【図１】
0005916207.tif 000002
【図２】
0005916207.tif 000003
【図３】
0005916207.tif 000004
【図４】
0005916207.tif 000005
【図５】
0005916207.tif 000006
【図６】
0005916207.tif 000007
【図７】
0005916207.tif 000008
【図８】
0005916207.tif 000009
【図９】
0005916207.tif 000010
【図１０】
0005916207.tif 000011
【図１１】
0005916207.tif 000012
【図１２】
0005916207.tif 000013
【図１３】
0005916207.tif 000014
【図１４】
0005916207.tif 000015
【図１５】
0005916207.tif 000016
【図１６】
0005916207.tif 000017